(57)【要約】【課題】部品数を増加させることなく、簡便な構成で、収納用の凹部に液体が侵入するのを防ぐ防滴構造を備えた収納容器を提供する。【解決手段】プリンタ１の本体３に設けられた電池収容部３１０は、底面部３１１と周壁部３１２によって規定された凹部である。本体３は、周壁部３１２のうち前壁部３２０よりも外周側に、前壁部３２０よりも突出する外縁部３３０を備える。電池収容部３１０を閉塞するカセットカバーは、その前端の外周面が外縁部３３０の内面に当接した状態で本体３に装着される。前壁部３２０には、左右に離間した２箇所に孔部３１７および３１８が設けられている。孔部３１７および３１８は、電池収容部３１０から離間した位置にある。前壁部３２０の突出端部には、前壁部３２０の厚さ方向において外縁部３３０側の略半分に、孔部３１７から孔部３１８まで延びる溝部３２１が形成されている。【選択図】図３
2014194874.tif 000002
【特許請求の範囲】
【請求項１】
第一底面部と、第一壁部を含む第一周壁部とによって規定され、開口部を有する第一凹部と、前記第一壁部に対して外周側において前記第一壁部よりも突出し、前記第一壁部の高さ方向に伸展する内面を有する外縁部とを備えた本体と、
前記本体に着脱可能、且つ、前記外縁部の前記内面に外周面の一部が当接した状態で前記第一凹部の前記開口部を閉塞するように構成されたカバーとを備え、
前記第一壁部は、
前記第一壁部の突出端部のうち、前記第一壁部の厚さ方向において、前記第一凹部側の縁から前記外縁部側に離間した位置に形成された溝部と、
前記突出端部に開口し、前記溝部に連接し且つ前記第一凹部とは離間した位置に設けられた第一孔部を少なくとも一つ備えたことを特徴とする収納容器。
【請求項２】
前記第一孔部は、前記第一壁部の前記高さ方向に沿って延び、周囲を壁によって規定されていることを特徴とする請求項１に記載の収納容器。
【請求項３】
前記第一凹部は、電子部品を備えていることを特徴とする請求項１または２に記載の収納容器。
【請求項４】
前記第一凹部は、電池用の端子部を備えた電池収容部であることを特徴とする請求項３に記載の収納容器。
【請求項５】
前記本体は、
内部に形成された、前記第一孔部が接続する空間であって、前記第一孔部が延びる方向に対して交差する方向に伸展する第二底面部と、第二周壁部とによって規定される第二凹部と、
前記第二凹部内に少なくとも一部が配置された部品と、
前記第二底面部において前記部品の前記少なくとも一部に対向する領域の周囲に配置された第一リブを更に備えたことを特徴とする請求項１〜４の何れかに記載の収納容器。
【請求項６】
前記部品は電子部品であることを特徴とする請求項５に記載の収納容器。
【請求項７】
前記第一凹部は、
前記第一壁部の内側に設けられた段差部と、
前記段差部の突出端部に開口し、前記第一壁部に沿って設けられた第二孔部と、
前記第一壁部の前記高さ方向および前記幅方向に直交する方向において前記第二孔部の両側に設けられ、前記段差部の前記突出端部と、前記第一壁部の前記突出端部とをつなぐ第二リブとを備えたことを特徴とする請求項１〜６の何れかに記載の収納容器。
【発明の詳細な説明】
【技術分野】
【０００１】
本発明は、防滴構造を備えた収納容器に関する。
【背景技術】
【０００２】
物品を収納する凹部を有する本体と、本体に係合されて凹部の開口部を閉塞する蓋とを備えた収納容器が、様々な用途に使用されている。液体がかかった場合等に本体の凹部に液体が侵入するのを防止する為に、防滴構造を備えた収納容器が知られている。特に、電子機器では、電子部品の収納部等に防滴構造が設けられることが一般的である。
【０００３】
防滴構造として、開口部と蓋との隙間に弾性体からなるパッキンを配置した構造が一般的である。例えば、特許文献１には、電池収納凹部に嵌合される電池パックの外周面に弾性リングを設け、更に、電池収納凹部の内壁面に、全周にわたる段部を設けることで、電池収納凹部に液体が侵入するのを防止する構造が開示されている。
【先行技術文献】
【特許文献】
【０００４】
【特許文献１】特開２００７−３１２２５５号公報
【発明の概要】
【発明が解決しようとする課題】
【０００５】
特許文献１の構造に代表されるように、別部品であるパッキンを収納容器の本体または蓋に設けると、部品数が増加する。そのため、部品コストが上がってしまう。
【０００６】
本発明の目的は、部品数を増加させることなく、簡便な構成で、収納用の凹部に液体が侵入するのを防ぐ防滴構造を備えた収納容器を提供することである。
【課題を解決するための手段】
【０００７】
本発明の収納容器は、本体とカバーとを備える。前記本体は、第一凹部と外縁部とを備える。前記第一凹部は、第一底面部と、第一壁部を含む第一周壁部とによって規定され、開口部を有する。前記外縁部は、前記第一壁部に対して外周側において前記第一壁部よりも突出し、前記第一壁部の高さ方向に伸展する内面を有する。前記カバーは、前記本体に着脱可能、且つ、前記外縁部の前記内面に外周面の一部が当接した状態で前記第一凹部の前記開口部を閉塞するように構成されている。前記第一壁部は、溝部と少なくとも一つの第一孔部とを備える。前記溝部は、前記第一壁部の突出端部のうち、前記第一壁部の厚さ方向において、前記第一凹部側の縁から前記外縁部側に離間した位置に形成されている。前記第一孔部は、前記突出端部に開口し、前記溝部に連接し且つ前記第一凹部とは離間した位置に設けられている。
【０００８】
本体にカバーが装着されると、カバーの外周面は、本体の外縁部の内面に当接する。この内面は、第一凹部を規定する周壁部の第一壁部の高さ方向に伸展するので、カバーが第一凹部の上方に装着された状態の収納容器に液体がかかった場合、液体は、カバーの外周面と外縁部の内面の間の隙間から下方へ流れ、本体へ侵入する可能性がある。しかし、液体は第一壁部に形成された溝部から孔部へ流れるので、第一凹部には侵入しない。収納容器は、パッキン等の別部品を追加することなく、第一凹部を規定する周壁部の一部である第一壁部に溝部と孔部を設けるという簡便な構成で、第一凹部への液体の侵入を防止することができる。
【０００９】
前記第一孔部は、前記第一壁部の前記高さ方向に沿って延び、周囲を壁によって規定されていてもよい。この場合、第一孔部に進入した液体を、周囲の壁を伝わせて、第一壁部の高さ方向に沿って速やかに流すことができる。
【００１０】
前記第一凹部は、電子部品を備えていてもよい。この場合、第一凹部の電子部品を、簡便な構成で液体から保護することができる。
【００１１】
前記第一凹部は、電池用の端子部を備えた電池収容部であってもよい。この場合、第一凹部の電池用の端子部を、簡便な構成で液体から保護することができる。
【００１２】
前記本体は、第二凹部と、部品と、第一リブとを更に備えてもよい。前記第二凹部は、前記本体の内部に形成された、前記第一孔部が接続する空間である。前記第二凹部は、前記第一孔部が延びる方向に対して交差する方向に伸展する第二底面部と、第二周壁部とによって規定されている。前記部品は、前記第二凹部内に少なくとも一部が配置される。前記第一リブは、前記第二底面部において前記部品の前記少なくとも一部に対向する領域の周囲に配置されている。この場合、第一孔部を通って第二凹部に液体が侵入しても、第一リブが、第二凹部に配置された部品に対向する領域に液体が侵入することを防止できる。従って、第二凹部に溜まった液体が、部品に付着することを防止することができる。
【００１３】
前記部品は電子部品であってもよい。この場合、第二凹部に配置された電子部品を、第一リブによって液体から保護することができる。
【００１４】
前記第一凹部は、段差部と、第二孔部と、第二リブとを備えていてもよい。前記段差部は、前記第一壁部の内側に設けられている。前記第二孔部は、前記段差部の突出端部に開口し、前記第一壁部に沿って設けられている。前記第二リブは、前記第一壁部の前記高さ方向および前記幅方向に直交する方向において前記第二孔部の両側に設けられている。前記第二リブは、前記段差部の前記突出端部と、前記第一壁部の前記突出端部とをつなぐ。この場合、第二リブは、その両側から第二孔部に向けて液体が侵入するのを防止することができる。
【図面の簡単な説明】
【００１５】
【図１】プリンタ１の上方からの斜視図である。
【図２】プリンタ１の下方からの斜視図である。
【図３】カセットカバー２を外した状態のプリンタ１の下方からの斜視図である。
【図４】カセットカバー２を外した状態のプリンタ１の底面図である。
【図５】図４のＶ−Ｖ線矢視方向断面図である。
【図６】本体３から外された上カバー４の内面側の斜視図である。
【図７】図５のプリンタ１の前端部近傍のみの部分拡大図である。
【発明を実施するための形態】
【００１６】
以下、本発明の実施形態について、図面を参照して説明する。図１の左上側、右下側、左下側、右上側が、夫々、プリンタ１の左側、右側、前側、後ろ側であり、図４の表面側、裏面側がプリンタ１の下側、上側である。但し、プリンタ１の上下左右方向は、便宜上定義されたものであり、プリンタ１は、必ずしも、図１に示すように上側が上方を向いた姿勢（以下、上向き姿勢という）にあるとは限らない。
【００１７】
まず、本実施形態のプリンタ１の概略構成を説明する。本実施形態のプリンタ１は、テープカセット１０（図３参照）から引き出されたテープに印刷を行うことが可能な携帯型のテーププリンタである。図１および図２に示すように、プリンタ１は、全体としては、後方に向けて僅かに上下左右に大きくなる略直方体形状である。プリンタ１は、上面に、表示部４１０と、複数のキーを含む操作部３９とを備える。ユーザは、操作部３９を用いてテープに印刷されるキャラクタ（文字、数字、記号、図形等）、各種動作の指示等を入力する。表示部４１０には、印刷対象のキャラクタ、メッセージ等が表示される。
【００１８】
プリンタ１の筐体は、本体３と、本体３の上側に配置される上カバー４と、本体３の下側に配置されるカセットカバー２とを含む。以下、カセットカバー２、本体３、および上カバー４の構成について、順に説明する。尚、図３〜図５および図７は、カセットカバー２が外され、プリンタ１の下側が上方を向いた姿勢（以下、下向き姿勢という）のプリンタ１を図示する。
【００１９】
図２に示すように、カセットカバー２は、薄板状の部材であり、前後方向に長い略長方形状の底板部２１と、底板部２１の左右の端部から上方（本体３側）に向けて緩やかに湾曲して延びる一対の側板部２５とを含む。側板部２５は、カセットカバー２の後ろ斜め上方且つ左右に広がっている。カセットカバー２は、本体３の下側に着脱可能に構成されており、その外縁２３は本体３の縁部３６の形状に対応する。
【００２０】
図３〜図５に示すように、本体３は、テープカセット１０を収容するカセット収容部３５、電池を収容する電池収容部３１０、およびテープを搬送しながら印刷を行う種々の機構、制御回路が搭載された基板３７、３８、およびその他の電子部品等を備える。本体３の外形は、前面３１、背面３２、左右一対の側面３３、および下面３４によって規定される。下面３４は、本体３の前端部にのみ設けられる。側面３３は、前面３１と下面３４から連続する面であり、下面３４が設けられる範囲より後方では、背面３２に向けて徐々に高さが低くなる。下面３４、一対の側面３３および背面３２の夫々の縁が一体となって本体３の縁部３６を形成する。
【００２１】
カセット収容部３５は、縁部３６の内側において本体３後部に設けられている。カセット収容部３５は、本体３の下側（カセットカバー２側）に開口し、上方（上カバー４側）へ凹んだ凹部である。カセット収容部３５内には、テープカセット１０からテープを引き出して搬送するローラ駆動軸、インクリボンを引き出して巻き取るリボン巻取り軸（図示略）、テープに印刷を行うプリントヘッドを搭載したヘッドホルダ１２（図４では図示略）等が設けられている。本体３内部のカセット収容部３５の上方（上カバー４側）には、ローラ駆動軸やリボン巻取り軸を回転駆動するための駆動機構１５が設けられている。
【００２２】
電池収容部３１０は、縁部３６の内側において本体３前部に設けられている。電池収容部３１０は、本体３の下側（カセットカバー２側）に開口する開口部３１３を有し、底面部３１１と、底面部３１１を囲む周壁部３１２とによって規定される、上方（上カバー４側）へ凹んだ凹部である。周壁部３１２のうち、前端部で左右方向に延びる部分を、前壁部３２０という。
【００２３】
本体３の前壁部３２０より外周側、つまり前側は、前壁部３２０よりも下方、つまりカセットカバー２が装着される側に突出している。前壁部３２０より前側のこの突出部を、外縁部３３０という。また、前壁部３２０の内側には、前壁部３２０の突出端よりも底面部３１１側に低い段差部３１５が設けられている。つまり、電池収容部３１０の周囲は、底面部３１１から前方に向かって、段差部３１５、前壁部３２０、外縁部３３０の順に、底面部３１１からの高さが高くなる。電池収容部３１０とその周囲の詳細な構成については後述する。
【００２４】
本体３内部のカセット収容部３５および電池収容部３１０の上方（上カバー４側）には、プリンタ１の動作を制御する制御回路が搭載された基板３７および３８が設けられている。基板３７は、本体３の中央部において上カバー４と略平行に伸展する。基板３８は、基板３７よりも上方（上カバー４側）に配置され、本体３の前端部から中央部にかけて上カバー４と略平行に伸展する。基板３８と上カバー４の間には、操作部３９の複数のキーを構成するキーラバー６１が配置されている。基板３８の後方には、表示部４１０の液晶ディスプレイ６２が設けられている。
【００２５】
プリンタ１は、電池の他、ＡＣアダプタを介した電源供給を可能とするために、ＡＣアダプタのコネクタを接続可能な電源ジャック５１を備えている。電源ジャック５１は、本体３の前端部において基板３８の下（上カバー４の反対側）に配置されている。ＡＣアダプタのコネクタは、前面３１に設けられた開口３０を通して電源ジャック５１に接続される。電源ジャック５１の端子部５２は、基板３８の上方、つまり上カバー４側に突出している。
【００２６】
図６に示すように、上カバー４は、薄板状の部材であり、前後方向に長い略長方形状の上板部４１と、上板部４１の左右の端部から下方（本体３側）に向けて緩やかに湾曲して延びる一対の側板部４２と、上板部４１の前端部から下方へ僅かに突出する前板部４４を含む。上板部４１の後部には、本体３の液晶ディスプレイ６２に対応する位置に開口４１１が形成されている。開口４１１には、透明樹脂製の保護板４１３が嵌められている。側板部４２は、前端部から開口４１１の前方まで延びる。
【００２７】
上板部４１は、開口４１１よりも前方に、本体３のキーラバー６１に形成された複数のキーに対応する複数のキー開口４１２を備える。上カバー４が本体３に装着されると、複数のキーは夫々キー開口４１２から僅かに上方に突出する（図５参照）。複数のキー開口４１２が設けられる領域の前端には、上板部４１の下面から僅かに下方（本体３側）に突出するリブ４１４が設けられている。よって、上カバー４の前端部には、リブ４１４、一対の側板部４２の前端部、および前板部４４によって規定される凹部４６が形成されている。凹部４６の左右方向中央部には、上板部４１から僅かに下方（本体３側）に突出するリブ４８が、底面視矩形枠状に配置されている。
【００２８】
上板部４１は、外縁の近傍の複数箇所に、円筒状の係合部４１８を備える。係合部４１８の孔部に、本体３から上方へ突出するピン（図示略）が圧入されることで、上カバー４は本体３に固定される。
【００２９】
以下、図３、図４および図７を参照して、電池収容部３１０とその周囲の詳細な構成について説明する。図３および図４に示すように、電池収容部３１０は、電池の正極と負極に対応する前後一対の端子部３１９を、前後方向に対向する周壁部３１２の内面に、６組備えている。つまり、電池収容部３１０は、６本の電池を収容可能に構成されている。なお、図７に示すように、前述の段差部３１５の上端部は、端子部３１９を支持する支持部の上端部である。
【００３０】
図７に示すように、外縁部３３０は、前壁部３２０側の上端に沿って設けられた段差部３３１を備える。段差部３３１は、前壁部３２０の高さ方向、つまり上下方向に伸展する内面３３２を有する。内面３３２は、下面３４の縁に対応する。カセットカバー２は、カセットカバー２の外縁２３が本体３の縁部３６内に嵌合された状態で本体３に装着される（図２参照）。段差部３３１には、カセットカバー２の前端縁２２が係合し、内面３３２にカセットカバー２の外周面が当接する。つまり、プリンタ１の前端部では、カセットカバー２と本体３の当接面は、上下方向に伸展する。一方、プリンタ１の前端部以外の部分、つまり一対の側面３３および背面３２の縁にカセットカバー２の外周面が当接する部分では、カセットカバー２と本体３の当接面は、横方向に伸展する。
【００３１】
図４に示すように、前壁部３２０は、電池収容部３１０の左右方向の全長に亘って延び、前後方向に厚さを有する壁部である。前壁部３２０は、左右方向中心位置と右端との間に形成された孔部３１７と、左右方向中心位置と左端との間に形成された孔部３１８とを有する。孔部３１７および３１８は、何れも前壁部３２０の下端部（カセットカバー２に対向する、前壁部３２０の突出端部）に開口する、底面視矩形状の孔部である。
【００３２】
孔部３１７および３１８は、電池収容部３１０とは離間した位置にある。つまり、孔部３１７および３１８は、前壁部３２０の内面（電池収容部３１０内部に向く面）にはつながっておらず、孔部３１７と電池収容部３１０との間、および孔部３１７と電池収容部３１０との間には、前壁部３２０の一部が介在する。なお、前壁部３２０は、孔部３１７と電池収容部３１０との間の部分、および孔部３１７と電池収容部３１０との間の部分が他の部分よりも底面部３１１側に低くなっている。
【００３３】
孔部３１７および３１８は、夫々、前壁部３２０の突出端部の開口から、前壁部３２０内部を上方（上カバー４が装着される側）に延び、本体３に装着された上カバー４の凹部４６内の空間につながっている。孔部３１７および３１８は、必ずしも直線状に延びる必要はないが、少なくとも一部が前壁部３２０の高さ方向に沿って延び、周囲が壁で規定されている。
【００３４】
前壁部３２０の左右方向において、孔部３１７と孔部３１８との間には、溝部３２１が形成されている。溝部３２１は、前壁部３２０の前側の略半分が底面部３１１側に凹んだ部分である。溝部３２１の右端と左端は、夫々、孔部３１７の左端と孔部３１８の右端に接続する。つまり、溝部３２１は、孔部３１７および３１８に連接し、且つ、前壁部３２０の厚さ方向において、電池収容部３１０側の縁から外縁部３３０側に離間した位置に形成されている。
【００３５】
図４に示すように、底面部３１１は、前壁部３２０の左右方向中央部の後ろ側に、段差部３１５の突出端部に開口する孔部３２５を有する。孔部３２５は、開口から上方（上カバー４側）へ延び、図７に示すように、電源ジャック５１の収容空間につながっている。孔部３２５の左右の段差部３１５の突出端部には、夫々、側面視直角三角形状のリブ３１６が設けられている。つまり、一対のリブ３１６が、前壁部３２０の高さ方向および厚さ方向に直交する方向において、孔部３２５の両側に設けられている。リブ３１６は、前壁部３２０の突出端部と段差部３１５の突出端部とをつなぐ。
【００３６】
図７に示すように、本体３の前端部では、電源ジャック５１の３つの端子部５２が基板３８から上方（上カバー４側）に突出している。上カバー４の上板部４１において、これらの端子部５２が対向する領域は、上板部４１の下面から下方（本体３側）へ矩形枠状に突出するリブ４８によって囲まれている。
【００３７】
以下、上記構成による防滴作用について説明する。ユーザは、キャラクタを入力する時、印刷を実行させる時等には、図１に示すように、操作部３９および表示部４１０を上方へ向け、上向き姿勢でプリンタ１を使用する。一方、ユーザは、テープカセット１０または電池を着脱する時等には、図２および図３に示すように、カセットカバー２側を上方へ向け、下向き姿勢でプリンタ１を使用する。つまり、ユーザは、２種類の姿勢でプリンタ１を使用可能である。よって、ユーザが使用後にプリンタ１を机上等に載置する時には、上向き姿勢にする場合と、下向き姿勢にする場合とがある。図５に示すように、操作部３９の複数のキーは上カバー４から突出するが、突出量は同一且つ僅かであるため、プリンタ１は下向き姿勢でも安定して載置できる。
【００３８】
ユーザが誤って飲み物をこぼす等、何らかの原因で、下向き姿勢で載置された状態のプリンタ１に、上から液体がかかる可能性がある。このような場合、上側に配置されたカセットカバー２にかかった液体は、下方に流れていく。前述の通り、カセットカバー２は、前端縁２２が本体３の下面３４の縁に係合する部分でのみ、カセットカバー２と本体３の当接面が上下方向に伸展する。従って、液体は、前端縁２２と下面３４の縁（詳細には、段差部３３１の内面３３２）と間の僅かな隙間から、本体３側に侵入する可能性がある。
【００３９】
液体は、内面３３２から段差部３３１を経由して前壁部３２０の方へ伝っていく。図７に示すように、前壁部３２０は、段差部３３１側に形成された溝部３２１を有する。従って、液体は、溝部３２１に溜まり、電池収容部３１０の方へ流れることはない。更に、図４に示すように、溝部３２１の左右には、孔部３１７および３１８が設けられている。従って、溝部３２１内に溜まった液体は、電池収容部３１０側へ前壁部３２０を乗越えることなく、孔部３１７および３１８へ流入する。このように、プリンタ１は、電池収容部３１０を規定する前壁部３２０に設けられた溝部３２１と孔部３１７および３１８で、積極的に液体の移動経路を制限する。かかる簡便な構成で、パッキン等の電池収容部３１０とは別の部品を設けることなく、電池用の端子部３１９が設けられた電池収容部３１０に液体が侵入するのを防ぐことができる。
【００４０】
前述の通り、孔部３１７および３１８は、上カバー４の凹部４６内の空間につながっているので、液体は、孔部３１７および３１８の周囲の壁を伝い落ち、凹部４６に溜まる。凹部４６には、電源ジャック５１の端子部５２が配置されている。しかしながら、凹部４６から本体３側に突出するリブ４８が、端子部５２に対向する領域を囲んでいるため、この領域に液体が侵入することを防止できる。従って、凹部４６に溜まった液体が、端子部５２に付着することを防止することができる。
【００４１】
また、前壁部３２０の後ろ側には、電源ジャック５１の収容空間につながる孔部３２５が設けられている。しかしながら、孔部３２５の左右には、前壁部３２０の上端部と段差部３１５の上端部とをつなぐリブ３１６が設けられているので、孔部３１７および３１８から孔部３２５の方向へ液体が侵入するのを防止することができる。従って、孔部３２５から下方へ伝い落ちた液体が電源ジャック５１に付着するのを防止することができる。
【００４２】
本実施形態では、プリンタ１は、本発明の「収納容器」の一例である。本体３および上カバー４は、「本体」の一例である。カセットカバー２は「カバー」の一例である。電池収容部３１０は、「第一凹部」の一例である。底面部３１１、前壁部３２０、周壁部３１２、および開口部３１３は、夫々、「第一底面部」、「第一壁部」、「第一周壁部」、および「開口部」の一例である。外縁部３３０および内面３３２は、夫々、「外縁部」および「内面」の一例である。溝部３２１は「溝部」の一例である。孔部３１７および３１８は、夫々「第一孔部」の一例である。電池用の端子部３１９は「電子部品」の一例である。
【００４３】
凹部４６は「第二凹部」の一例である。上板部４１は「第二底面部」の一例である。側板部４２、前板部４４、およびリブ４１４は、「第二周壁部」の一例である。電源ジャック５１の端子部５２は「部品」の一例である。リブ４８は「第一リブ」の一例である。段差部３１５は「段差部」の一例である。孔部３２５は「第二孔部」の一例である。リブ３１６は、「第二リブ」の一例である。
【００４４】
本発明は上記実施形態に限定されるものではなく、種々の変更が可能である。例えば、孔部３１７および３１８は、必ずしも、前壁部３２０の高さ方向に沿って延び、周囲が壁で規定されている必要はない。また、孔部３１７および３１８は、必ずしも上カバー４の凹部４６内の空間につながっている必要はない。例えば、孔部３１７および３１８は、有る程度の量の液体を貯留可能な大きさの有底の穴であってもよいし、本体３の前面３１に設けた開口までつながる孔部であってもよい。
【００４５】
孔部３１７および孔部３１８に効率的に液体を流入させるために、溝部３２１は、中心から孔部３１７および孔部３１８に向けて、上カバー４側へ傾斜していてもよい。溝部３２１に連接する孔部３１７および３１８は、必ずしも２つ設ける必要はなく、何れか一方だけでもよい。前壁部３２０には、溝部に連接する３つ以上の孔部が設けられてもよい。前壁部３２０の孔部３１７の右側部分および孔部３１８の左側部分にも、溝部３２１と同様の溝部が形成されてもよい。これらの場合も、孔部に向けて溝部を傾斜させてもよい。
【００４６】
凹部４６に液体から保護すべき部品（特に電子部品）が配置されていなければ、リブ４８を設ける必要はない。リブ４８の配置位置およびその形状は、部品の配置位置、形状および大きさに応じて適宜変更されればよい。また、凹部４６の形状、位置、大きさも適宜変更可能である。例えば、凹部４６は上カバー４によって形成されるのではなく、本体３内部で孔部３１７および孔部３１８に接続し、孔部３１７および孔部３１８と交差する方向に伸展する底面部と周壁部とで規定される凹部であってもよい。
【００４７】
また、前述のように、溝部３２１と孔部３１７および３１８によって、液体が電池収容部３１０の方向に侵入することを防止できるので、孔部３２５の両側には必ずしもリブ３１６が配置される必要はない。
【００４８】
溝部３２１および孔部３１７、３１８は、電池収容部３１０の周壁部の他の部分に適用されてもよいし、電池以外の何らかの物品が収容される凹部に適用されてもよい。例えば、液体からの保護の必要性が大きい電子部品が収容される凹部や、電子部品を備えた凹部に適用できる。また、プリンタ１のような電子機器ではなく、単に収納機能のみを有する収納容器に適用されてもよい。凹部の開口部を閉塞するカバーの外周面が、凹部を規定する周壁部の外周側で、周壁部の高さ方向に伸展する内面に当接する場合、その当接位置に応じて周壁部の少なくとも一部に溝部と孔部が設けられればよい。
【００４９】
例えば、カセットカバー２が矩形平板状であり、本体３の縁部とカセットカバー２の外周面との当接面が上下方向に伸展する構成であった場合、下向き姿勢で液体がかかると、他の部分でも、液体が本体３に侵入する可能性がある。従って、例えば、電池収容部３１０の周壁部３１２の右壁部や左壁部に、溝部と少なくとも一つの孔部が設けられてもよい。また、例えば、カセット収容部３５を規定する周壁部のうち後壁部に、溝部と少なくとも一つの孔部が設けられてもよい。
【符号の説明】
【００５０】
１  プリンタ
２  カセットカバー
３  本体
３１０  電池収容部
３１１  底面部
３１２  周壁部
３１５  段差部
３１６  リブ
３１７、３１８  孔部
３１９  端子部
３２０  前壁部
３２１  溝部
３２５  孔部
３３０  外縁部
３３２  内面
４１  上板部
４２  側板部
４４  前板部
４１４  リブ
４６  凹部
４８  リブ
５１  電源ジャック
５２  端子部
【図１】
2014194874.tif 000003
【図２】
2014194874.tif 000004
【図３】
2014194874.tif 000005
【図４】
2014194874.tif 000006
【図５】
2014194874.tif 000007
【図６】
2014194874.tif 000008
【図７】
2014194874.tif 000009